(57)【要約】      （修正有）【課題】創作者がその創作能力を十分に発揮することを可能とする新規な描画用素材を提案する。【解決手段】表面を平面視したときに任意の形状を有していて、当該表面に描画用材料１での描画が行われる、柔軟性を有する素材からなる描画用シート２と、折り曲げ変形、凸湾変形及び、凹湾変形できる部材からなり、描画用シートの表面２ａとは反対側の背面側の面積よりも大きい面積を有している支持面３ａを備えていて当該支持面３ａの周縁が画定していると共に任意の形態を有している平板状の支持体３とを備えている。【選択図】図１
2017119372.tif 000002
【特許請求の範囲】
【請求項１】
表面を平面視したときに任意の形状を有していて、当該表面に描画用材料での描画が行われる、柔軟性を有する素材からなる描画用シートと、
折り曲げ変形、凸湾変形及び、凹湾変形できる部材からなり、前記描画用シートの前記表面とは反対側の背面側の面積よりも大きい面積を有している支持面を備えていて当該支持面の周縁が画定していると共に任意の形態を有している平板状の支持体と
を備えている描画用素材であって、
前記描画用シートの背面側が、前記支持体の前記支持面に貼り付けられてなり、
前記描画用シートの背面側が、前記支持体の前記支持面に貼り付けられている状態の前記描画用素材を任意に折り曲げ、凸湾及び、凹湾変形させることが可能で、
前記支持面の周縁が画定していることにより、
前記描画用シートの表面に前記描画用材料による描画が行われている状態の前記描画用素材の周縁を囲繞する枠体を用いることなしに、前記描画用シートの表面に前記描画用材料による描画が行われている状態の前記描画用素材を展示できる
新規な描画用素材。
【請求項２】
前記支持体の画定している周縁の内側と、前記支持体の前記支持面に前記背面側が貼り付けられている前記描画用シートの周縁の外側との間における前記支持体の前記支持面が露出している
請求項１記載の新規な描画用素材。
【請求項３】
前記露出している前記支持体の周縁の内側と、前記描画用シートの周縁の外側との間の領域に描画可能である
請求項２記載の新規な描画用素材。
【請求項４】
前記任意に折り曲げ、凸湾及び、凹湾変形された前記新規な描画用素材が自立可能である請求項１乃至請求項３のいずれか一項記載の新規な描画用素材。
【請求項５】
前記支持体は光を透過する素材からなる請求項１乃至請求項４のいずれか一項記載の新規な描画素材。
【請求項６】
前記支持体の前記支持面に対向する側の面に和紙が貼りつけられている請求項１乃至請求項５のいずれか一項記載の新規な描画素材。
【発明の詳細な説明】
【技術分野】
【０００１】
この発明は絵の具などの様々な描画材料を用いて描写表現・創作がなされる描画用素材に関し、特に、日本画、油絵、水彩画、アクリル画などにとどまらず、書道など、あらゆる描写表現・創作に対応可能な、新規な描画用素材に関する。
【背景技術】
【０００２】
絵の具などの様々な描画材料を用いて描写表現・創作がなされる描画用素材に関しては従来から種々の提案が行われている（例えば、特許文献１〜特許文献６）。
【０００３】
例えば、特許文献１（特開２００５−２２３８１号公報）には、シート状キャンバスと、表面に当該シート状キャンバスが貼り付けられる基板とからなる描画用素材が提案されている。この特許文献１における基板は、シート状キャンバスが表面に張り付けられる基板の裏面側に直線状に伸びる断面Ｖ字状の溝を形成し、表面にシート状キャンバスが張り付けられている状態の基板を、当該直線状に伸びる断面Ｖ字状の溝のところで裏面方向に折り曲げることにより変形可能なものであった。すなわち、直線状に伸びる折り曲げ線部を介して裏面側に折り曲げようと意図した個所で、基板の裏面に直線状に伸びる断面Ｖ字状の溝を形成し、当該直線状に伸びる断面Ｖ字状の溝のところで裏面方向に折り曲げ変形可能な基板と、当該基板の表面に張り付けられているシート状キャンバスとからなる描画用素材が特許文献１で提案されていた。
【先行技術文献】
【特許文献】
【０００４】
【特許文献１】特開２００５−２２３８１号公報
【特許文献２】登録実用新案第３０８７４３６号公報
【特許文献３】特開２０１３−１４４４４３号公報
【特許文献４】特開平９−２８５６５１号公報
【特許文献５】特開２０１３−２３０８２０号公報
【特許文献６】特開平１０−３２４０８０号公報
【発明の概要】
【発明が解決しようとする課題】
【０００５】
絵の具などの様々な描画材料を用いて描写表現・創作がなされる描画用素材は、従来、一般的に、木枠にキャンバス地を張設したものであったり、平面視で矩形などの所定形状の支持体の上にキャンバス地などが積層されている構造のものであった。
【０００６】
そこで、従来、一般的には平面視で矩形の描画用素材しか存在せず、また、大きさに制限があり、創作者がその創作能力を十分に発揮する上での制限になっていた。
【０００７】
また、木枠にキャンバス地を張設した描画用素材の場合には重く、持ち運びに不便である、等の問題もあった。
【０００８】
更に、特許文献１のように、あらかじめ折り曲げようと意図した個所で折り曲げ可能な基板と、当該基板に貼りつけられるシート状キャンバスとからなる描画用素材は提案されていたが、折り曲げ変形、凸湾変形、凹湾変形、等の自在な変形ができる描画用素材については従来から提案がされていなかった。
【０００９】
この発明は、折り曲げ変形、凸湾変形、凹湾変形、等の自在な変形ができる描画用素材であって、創作者がその創作能力を十分に発揮することを可能とする新規な描画用素材を提案することを目的にしている。
【課題を解決するための手段】
【００１０】
表面を平面視したときに任意の形状を有していて、当該表面に描画用材料での描画が行われる、柔軟性を有する素材からなる描画用シートと、
折り曲げ変形、凸湾変形及び、凹湾変形できる部材からなり、前記描画用シートの前記表面とは反対側の背面側の面積よりも大きい面積を有している支持面を備えていて当該支持面の周縁が画定していると共に任意の形態を有している平板状の支持体と
を備えている描画用素材であって、
前記描画用シートの背面側が、前記支持体の前記支持面に貼り付けられてなり、
前記描画用シートの背面側が、前記支持体の前記支持面に貼り付けられている状態の前記描画用素材を任意に折り曲げ、凸湾及び、凹湾変形させることが可能で、
前記支持面の周縁が画定していることにより、
前記描画用シートの表面に前記描画用材料による描画が行われている状態の前記描画用素材の周縁を囲繞する枠体を用いることなしに、前記描画用シートの表面に前記描画用材料による描画が行われている状態の前記描画用素材を展示できる
新規な描画用素材
である。
【００１１】
これによって所期の目的を達成するものである。
【発明の効果】
【００１２】
この発明によれば、創作者がその創作能力を十分に発揮することを可能とする新規な描画用素材を提案することができる。
【図面の簡単な説明】
【００１３】
【図１】本発明の描画用素材の一実施形態を表す図であって、（ａ）は描画用シート素材と支持体とが貼り合わされる前の状態を説明する分解斜視図、（ｂ）は描画用シート素材と支持体とが貼り合わされてこの実施形態の描画用素材となった状態を説明する斜視図、（ｃ）はこの実施形態の描画用素材の断面図。
【図２】（ａ）は本発明の描画用素材の一実施形態の平面図、（ｂ）はＡ−Ａ線断面図。
【図３】本発明の描画用素材の他の実施形態で立体的に展示する状態の一例を説明する斜視図。
【図４】本発明の描画用素材の他の実施形態で立体的に展示する状態の他の例を説明する斜視図。
【図５】本発明の描画用素材の他の実施形態で立体的に展示する状態の更に他の例を説明する斜視図。
【図６】本発明の描画用素材の他の実施形態で空間的に展示する状態の一例を説明する斜視図。
【発明を実施するための形態】
【００１４】
以下、添付図面を参照して本発明の好ましい実施形態を説明する。
【００１５】
図１図示の実施形態に係る描画用素材１は、描画用シート２と、支持体３とを備えている。
【００１６】
描画用シート２は、表面を平面視したときに任意の形状を有している。
【００１７】
例えば、図１図示の実施形態の描画用シート２は、表面を平面視したときに矩形の形状を有している。
【００１８】
図２図示の実施形態の描画用シート１２は、表面を平面視したときに瓢箪のような形状を有し、２カ所の透孔４ａ、４ｂを備えている。
【００１９】
図３、図４、図５図示の実施形態の描画用シート２２、３２、４２、４２´は、表面を平面視したときに矩形の形状を有する。
【００２０】
図６図示の実施形態の描画用シート５２は表面を平面視したときに円形形状、描画用シート６２は楕円形状で、描画用シート７２は表面を平面視したときに矩形（台形）形状を有する。
【００２１】
描画用シート２、１２、２２、３２、４２、４２´、５２、６２、７２は、布、帆布、亜麻布などのキャンバス地や紙など、従来公知の描画用シート素材からなるものであり、これらは、いずれも柔軟性を有する素材である。
【００２２】
描画用シート２、１２、２２、３２、４２、４２´、５２、６２、７２の表面２ａ、１２ａ、２２ａ、３２ａ、４２ａ、４２ａ´、５２ａ、６２ａ、７２ａに、油絵の具、等の従来公知の描画用材料での描画が行われる。
【００２３】
この実施形態の新規な描画用素材において、支持体３、１３、２３、３３、４３、５３、６３、７３は、折り曲げ変形、凸湾変形、凹湾変形、等の、任意に変形可能な部材からなる。例えば、折り曲げ変形、凸湾変形、凹湾変形、等の自在な変形ができる合成樹脂製の支持体３、等にすることができる。
【００２４】
支持体３、等は、描画用シート２、等の表面２ａ、等とは反対側の背面側の面積より大きい面積を有している支持面３ａ、等を備えている。また、当該支持面３ａ、等の周縁が画定していると共に任意の形態を有している。
【００２５】
図１の実施形態では、支持体３は、描画用シート２の背面側２ｂの面積より大きい面積を有している支持面３ａを備えている。
【００２６】
図２の実施形態では、支持体１３は、描画用シート１２の背面側１２ｂの面積より大きい面積を有している支持面１３ａを備えている。
【００２７】
また、図１の実施形態では、支持体３の支持面３ａの周縁は平面視で矩形である周縁によって画定されている。そして、支持面３ａの周縁が平面視で矩形に画定されている平板状の形態を有する支持体３である。
【００２８】
図２の実施形態では、支持体１３は、表面を平面視したときに瓢箪のような形状によって周縁が画定され、また、この表面を平面視したときに瓢箪のような形状の周縁の内側に２カ所の透孔４ａ、４ｂが形成されていることによって周縁が画定されている。そして、このように周縁が画定された平板状の形態を有する支持体１３である。
【００２９】
このように、この実施形態の新規な描画用素材において、支持体３、１３、２３、３３、４３、５３、６３、７３は、平板状であって、任意に折り曲げ変形、凸湾変形及び、凹湾変形できる部材からなり、描画用シートの表面とは反対側の背面側の面積よりも大きい面積を有している支持面３ａ、１３ａ、２３ａ、３３ａ、４３ａ、等を備えていて当該支持面３ａ、等の周縁が画定していると共に任意の形態を有している。
【００３０】
図１図示の実施形態では、支持体３の支持面３ａの面積は、描画用シート２の背面側２ｂの面積より大きな面積になっている。すなわち、図１図示の実施形態でいえば、描画用シート２の背面側２ｂの面積より、支持体３の支持面３ａの面積の方が大きくなっている。
【００３１】
また、図２図示の実施形態でいえば、支持体１３の支持面１３ａの面積は、描画用シート１２の背面側１２ｂの面積より大きい面積になっている。すなわち、描画用シート１２の背面側１２ｂの面積より、支持体１３の支持面１３ａの面積の方が大きくなっている。
【００３２】
図１図示の実施形態の描画用素材１は、上述したように、表面２ａを平面視したときに任意の形状を有していて、表面２ａに描画用材料での描画が行われる描画用シート２の背面側２ｂが、上述したように、描画用シート２の背面側２ｂの面積より大きな面積を有している支持面３ａを備えていて周縁が画定していると共に任意の形態を有している平板状の支持体３の支持面３ａに貼り付けられてなるものである。
【００３３】
例えば、図１（ａ）に矢印９で示すように描画用シート２と支持体３とが貼り付けられる。貼り付けは従来公知の接着剤を用いて行うことができる。
【００３４】
図２図示の実施形態でも、上述したように、表面１２ａを平面視したときに任意の形状を有していて、表面１２ａに描画用材料での描画が行われる描画用シート１２の背面側１２ｂが、上述したように、描画用シート２１の背面側１２ｂの面積より大きな面積を有している支持面１３ａを備えていて周縁が画定していると共に任意の形態を有している平板状の支持体１３の支持面１３ａに貼り付けられて描画用素材１１となっている。
【００３５】
図１、図２図示の実施形態の描画用素材１、１１は、上述したように支持体３、１３における支持面３ａ、１３ａの周縁が画定していることにより、描画用シート２、１２の表面２ａ、１２ａに描画用材料による描画が行われている状態の描画用素材１、１１の周縁を囲繞する枠体を用いることなしに、例えば、図１（ｂ）、図２（ａ）の状態の、描画用シート２、１２の表面２ａ、１２ａに描画用材料による描画が行われている状態の描画用素材１、１１を展示できるものである。
【００３６】
そこで、一般に高額品である額縁を使用することなしに描画用素材１を展示することが可能になる。
【００３７】
図１図示のように、平面視で矩形の描画用素材１とする場合であっても、表面１２ａを平面視したときに任意の形状を有していて、表面１２ａに描画用材料での描画が行われる描画用シート１２と、描画用シート２の背面側２ｂの面積よりも大きな面積を有している支持面３ａを備えていて周縁が画定していると共に任意の形態を有している支持体３との組み合わせ（貼り合わせ）によって描画用素材１が構成されるものであるので、創作者・表現者が希望する大きさの矩形にすることができる。
【００３８】
特に、図１図示のように、描画用シート２の背面側１２ｂが、支持体３の支持面３ａに貼り付けられた際に、支持面３ａの周縁が画定していて、支持面３ａの面積が描画用シート２の背面側２ｂの面積より大きいことから、支持面３ａの画定している周縁と、描画用シート２の周縁の間の支持面３ａ、すなわち、図１（ｂ）に符号３ｂ、３ｃ、３ｄ、３ｅで示す領域の支持面３ａが、描画用シート２が貼りつけられていない領域として露出することになる。
【００３９】
これによって、支持面３ａ、等に描画用シート２、等の背面側２ｂ、等が貼りつけられる支持体３、等がその支持面の周縁が画定していることにより、描画用素材１、１１の周縁を囲繞する枠体を用いることなしに、例えば、図１（ｂ）、図２（ａ）の状態の、描画用シート２、１２の表面２ａ、１２ａに描画用材料による描画が行われている状態の描画用素材１、１１を展示できるだけでなく、このようにして展示した際に、支持体３の画定している周縁の内側と、支持体３の支持面３ａに背面側２ｂが貼り付けられている描画用シート２の周縁の外側との間における支持体３の支持面３ａが露出している実施形態にして、新規な創作的表現を行うことが可能になる。
【００４０】
図１（ｂ）図示の例では、図１（ｂ）に符号３ｂ、３ｃ、３ｄ、３ｅで示す領域の支持面３ａが、描画用シート２が貼りつけられていない領域として露出することを利用した新規な創作的表現を行うことが可能になる。
【００４１】
あるいは、図１（ｂ）図示のように、符号３ｂ、３ｃ、３ｄ、３ｅで示す領域の支持面３ａが、描画用シート２が貼りつけられていない領域として露出する形態の他に、符号３ｅで示す領域は露出しないように、この部分における支持体３の周縁と、描画用シート２の周縁とを一致させ、図１（ｂ）に符号３ｂ、３ｃ、３ｄで示す領域の支持面３ａのみを、描画用シート２が貼りつけられていない領域として露出させ、新規な創作的表現を行うこともできる。
【００４２】
この場合の、露出させた符号３ｂ、３ｃ、３ｄ、３ｅ、等で示す領域の支持面３ａに描画を行うことにより新規な創作的表現を行うことも可能である。
【００４３】
また、平板状であっても、図２図示のように、支持面の周縁が任意の形状で画定され、創作者・表現者の希望があれば、所定形状の透孔を所望の位置に形成することが可能な支持体１３とすることができるので、創作者がその創作能力を十分に発揮することを可能とする描画用素材を提供することができる。
【００４４】
すなわち、従来のキャンバス、等の描画素材では、矩形の枠の内側に、しかも、あらかじめ定められている大きさの矩形の内側に創作・表現である描画を行わざるを得なかったが、この実施形態の描画用素材１、１１によれば、平面視で任意の形状、大きさの描画用シートの表面に創作・表現を行うことができる。これによって創作者、表現者の表現領域を飛躍的に拡大させることができる。いわば、「フリーキャンバス（Free Canvas）」とも呼ぶべき、新しい概念の描画素材を提供することができる。
【００４５】
この実施形態において、支持体３、１３、等は、合成樹脂製にする等、種々の素材を用いることができる。合成樹脂製にすることにより、軽量化を図り、持ち運びに便利なようにすることができる。
【００４６】
また、折り曲げ変形、凸湾変形、凹湾変形、等の自在な変形ができる部材（例えば、折り曲げ変形、凸湾変形、凹湾変形、等の自在な変形ができる合成樹脂）により支持体３、１３、等の支持体を準備すると、より豊かな、創作・表現を実現することができる。
【００４７】
図３図示の実施形態は、平面視で矩形の描画用シート２２と、変形可能な極薄の合成樹脂製の板状体で、平面視で矩形の支持体２３とを貼り合わせてなる本発明の描画用素材２１の一実施形態を表すものである。描画用シート２２と支持体２３とを貼り合わせてなる描画用素材２１を図１図示の実施形態のように平板状にしておき、描画用シート２２の表面２２ａに描画用材料による描画を行う。その後、描画用シート２２の表面２２ａに描画用材料による描画が行われている状態の描画用素材２１を、図３図示のように湾曲変形させ、立体的に展示することができる。あるいは、最初から、描画用素材２１を、図３図示のように湾曲変形させ、立体的に自立させ、その状態で、描画用シート２２の表面２２ａに描画用材料による描画を行うこともできる。
【００４８】
描画用シート２２が柔軟性を有し、支持体２３は、折り曲げ変形、凸湾変形、凹湾変形、等の自在な変形ができる合成樹脂製なので、平板の状態で描画を行い、その後、自立可能なように描画用素材２１を湾曲変形させることが可能であるし、あるいは、最初から、自立可能なように描画用素材２１を湾曲変形させておき、その状態で、描画を行うことも可能である。
【００４９】
これによって、平面状態のキャンバス等に二次元的に表現するだけでしかなかった従来の描画用素材に比較して、三次元的な創作・表現、その展示を可能とすることができる。図３中、符号２３ｂで示している部分は、支持体２３の背面側になる。
【００５０】
図４図示の実施形態は、平面視で矩形の描画用シート３２と、変形可能な極薄の合成樹脂製（光を透過する素材）の板状体で、平面視で矩形の支持体３３とを貼り合わせてなる本発明の描画用素材３１の一実施形態を表すものである。描画用シート３２の表面３２ａに描画用材料による描画が行われている状態の描画用素材３１を、図４図示のように湾曲変形させ、立体的に展示可能にしたものである。
【００５１】
描画用シート３２と支持体３３とを貼り合わせてなる描画用素材３１を図１図示の実施形態のように平板状にしておき、描画用シート３２の表面３２ａに描画用材料による描画を行う。その後、描画用シート３２の表面３２ａに描画用材料による描画が行われている状態の描画用素材３１を、図４図示のように湾曲変形させ、立体的に展示することができる。あるいは、最初から、描画用素材３１を、図４図示のように湾曲変形させ、立体的に自立させ、その状態で、描画用シート３２の表面３２ａに描画用材料による描画を行うこともできる。
【００５２】
描画用シート３２が柔軟性を有し、支持体３３は、折り曲げ変形、凸湾変形、凹湾変形、等の自在な変形ができる合成樹脂製なので、平板の状態で描画を行い、その後、自立可能なように描画用素材３１を湾曲変形させることが可能であるし、あるいは、最初から、自立可能なように描画用素材３１を湾曲変形させておき、その状態で、描画を行うことも可能である。
【００５３】
これによって、平面状態のキャンバス等に二次元的に表現するだけでしかなかった従来の描画用素材に比較して、三次元的な創作・表現、その展示を可能とすることができる。
【００５４】
このように、この実施形態の新規な描画用素材は、柔軟性を有する描画用シートの背面側が、任意に変形可能な支持体の支持面に貼り付けられている状態で、任意に変形させることにより、自立可能である。
【００５５】
図４図示の実施形態では、光を透過する素材（合成樹脂）で支持体３３を準備していることにより、例えば、図４に符号５で示す位置に照明を配置しておくことにより、描画用素材３１を透過してくる光の影響を創作・表現に加味することができ、一層、創作者の創作・表現領域を広げることができる。
【００５６】
図５図示の実施形態は、平面視で矩形の描画用シート４２、４２´と、変形可能な極薄の合成樹脂製の板状体で、平面視で矩形の支持体４３とを貼り合わせてなる本発明の描画用素材４１の一実施形態を表すものである。支持面を形成する描画用素材４１の表面と背面との双方に、それぞれ、描画用シート４２、４２´を貼り付けている。描画用シート４２、４２´の表面４２ａ、４２ａ´にそれぞれ描画用材料による描画が行われている状態の描画用素材４１を、図４図示のように湾曲変形させ、立体的に展示可能にしたものである。
【００５７】
これによって、平面状態のキャンバス等に二次元的に表現するだけでしかなかった従来の描画用素材に比較して、三次元的な創作・表現、その展示を可能とすることができる。
【００５８】
この図５図示の実施形態では、描画用素材４１の表面側と背面側とにそれぞれ描画が施されているので、符号６ａ、６ｂで示すように、描画用素材４１の表面側と背面側との双方から観賞できる展示形態にすることができる。
【００５９】
なお、描画用シート４２´として和紙を用いることもできる。この場合、その和紙の表面に描画してもよいし、新たな正作の表現の一形態として、支持体４３の支持面４３ａに対向する側の面に和紙が貼りつけられている実施形態にすることもできる。
【００６０】
図６図示の実施形態は、薄板状で円形の描画用素材５１、６１と、薄板状で矩形（台形）の描画用素材７１が、それぞれに形成されているつりさげ孔５７、６７、７７で吊り下げられて展示されている実施形態の一例を表すものである。
【００６１】
描画用素材５１、６１、７１を形成する支持体を軽量な合成樹脂製の薄板とすることにより、吊り下げ部材８、８ａ、８ｂ、８ｃでこれらを吊り下げて展示し、観賞に供することができる。
【００６２】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【００６３】
１、１１、２１、３１、４１、５１、６１、７１    描画用素材
２、１２、２２、３２、４２、５２、６２，７２  描画用シート
３、１３    支持体
４ａ、４ｂ    透孔
２ａ、１２ａ、２２ａ、３２ａ、４２ａ、４２ａ´、５２ａ、６２ａ、７２ａ
描画用シートの表面
２ｂ、１２ｂ    描画用シートの背面側
３ａ、１３ａ  支持体の支持面
【図１】
2017119372.tif 000003
【図２】
2017119372.tif 000004
【図３】
2017119372.tif 000005
【図４】
2017119372.tif 000006
【図５】
2017119372.tif 000007
【図６】
2017119372.tif 000008
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
表面を平面視したときに任意の形状を有していて、当該表面に描画用材料での描画が行われる、柔軟性を有する素材からなる描画用シートと、
折り曲げ変形、凸湾変形及び、凹湾変形できる部材からなり、前記描画用シートの前記表面とは反対側の背面側の面積よりも大きい面積を有している支持面を備えていて当該支持面の周縁が画定していると共に任意の形態を有している平板状の支持体と
を備えていて、前記描画用シートの背面側が、前記支持体の前記支持面に貼り付けられていることにより前記描画用シートと前記支持体との貼りあわせによって構成される描画用素材であって、
前記描画用シートの背面側が、前記支持体の前記支持面に貼り付けられている状態の前記描画用素材を任意に折り曲げ、凸湾及び、凹湾変形させることが可能で、
前記支持面の周縁が画定していることにより、
前記描画用シートの表面に前記描画用材料による描画が行われている状態の前記描画用素材の周縁を囲繞する枠体を用いることなしに、前記描画用シートの表面に前記描画用材料による描画が行われている状態の前記描画用素材を展示できる
新規な描画用素材。
【請求項２】
前記支持体の画定している周縁の内側と、前記支持体の前記支持面に前記背面側が貼り付けられている前記描画用シートの周縁の外側との間における前記支持体の前記支持面が露出している
請求項１記載の新規な描画用素材。
【請求項３】
前記露出している前記支持体の周縁の内側と、前記描画用シートの周縁の外側との間の領域に描画可能である
請求項２記載の新規な描画用素材。
【請求項４】
前記任意に折り曲げ、凸湾及び、凹湾変形された前記新規な描画用素材が自立可能である請求項１乃至請求項３のいずれか一項記載の新規な描画用素材。
【請求項５】
前記支持体は光を透過する素材からなる請求項１乃至請求項４のいずれか一項記載の新規な描画素材。
【請求項６】
前記支持体の前記支持面に対向する側の面に和紙が貼りつけられている請求項１乃至請求項５のいずれか一項記載の新規な描画素材。
【手続補正２】
【補正対象書類名】明細書
【補正対象項目名】００１０
【補正方法】変更
【補正の内容】
【００１０】
表面を平面視したときに任意の形状を有していて、当該表面に描画用材料での描画が行われる、柔軟性を有する素材からなる描画用シートと、
折り曲げ変形、凸湾変形及び、凹湾変形できる部材からなり、前記描画用シートの前記表面とは反対側の背面側の面積よりも大きい面積を有している支持面を備えていて当該支持面の周縁が画定していると共に任意の形態を有している平板状の支持体と
を備えていて、前記描画用シートの背面側が、前記支持体の前記支持面に貼り付けられていることにより前記描画用シートと前記支持体との貼りあわせによって構成される描画用素材であって、
前記描画用シートの背面側が、前記支持体の前記支持面に貼り付けられている状態の前記描画用素材を任意に折り曲げ、凸湾及び、凹湾変形させることが可能で、
前記支持面の周縁が画定していることにより、
前記描画用シートの表面に前記描画用材料による描画が行われている状態の前記描画用素材の周縁を囲繞する枠体を用いることなしに、前記描画用シートの表面に前記描画用材料による描画が行われている状態の前記描画用素材を展示できる
新規な描画用素材
である。